Podtech/llm-jp-corpus-v4-ja_patent huggingface dataset:
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
２−アミノ−７−（エタンイミドイルアミノ）−２−メチルヘプタ−５−エン酸の結晶型。
【請求項２】
図３に示すようなｘ−線粉末回折パターン、図６に示すようなラマンスペクトル、224
℃の融点および147ジュール・グラム-1の融解熱からなる群より選択される少なくとも１種の物理学的測定値によって特徴づけられる２−アミノ−７−（エタンイミドイルアミノ）−２−メチルヘプタ−５−エン酸の結晶型。
【請求項３】
(２Ｓ,５Ｚ)−２−アミノ−２−メチル−７−[(１−イミノエチル)アミノ]−５−ヘプ
テン酸，１.５塩酸塩である式（Ｉ）
【化１】
2005536541.tif 000001
の化合物またはその生理学的機能性誘導体。
【請求項４】
有効量の（２Ｓ,５Ｚ)−２−アミノ−２−メチル−７−[(１−イミノエチル)アミノ]−５−ヘプテン酸,１.５塩酸塩と医薬的に許容される担体からなる医薬組成物。
【請求項５】
請求項１記載の化合物を含有する、一酸化窒素シンターゼ阻害剤を必要とする哺乳動物における臨床症状の予防または処置用の医薬。
【請求項６】
臨床症状は、急性および慢性の体発生（痛覚性または神経障害性のいずれか）の痛みを含む疼痛、持続的にオピエート鎮痛剤を必要とする患者におけるオピエート耐性、ベンゾジアゼピンを服薬している患者におけるベンゾジアゼピン耐性、ニコチンおよび摂食障害を含む耽溺性挙動、敗血症性または中毒性ショックに伴う全身性低血圧、眼内状態、全身性エリテマトーデス（SLE）、糸球体腎炎、再狭窄、ウイルス感染の炎症性続発症、急性呼吸窮迫症候群（ARDS）、オキシダント誘発肺損傷、ＩＬ−２療法に伴う併発症、悪液質、免疫抑制、胃腸の運動性障害、日焼け、湿疹、乾癬、歯肉炎、膵炎、感染によって生じる胃腸管の傷害、嚢胞性線維症、免疫系の機能不全に対する処置、腺種様ポリープ、腫瘍の増殖および気管支炎からなる群より選択される請求項５記載の医薬。
【請求項７】
一酸化窒素シンターゼ阻害剤を必要とする臨床状態の予防または処置用医薬の製造における請求項１記載の化合物の使用。
【請求項８】
結晶性（２Ｓ,５Ｚ)−２−アミノ−２−メチル−７−[(１−イミノエチル)アミノ]−５−ヘプテン酸，１.５塩酸塩の製造方法であって、
（ａ）非結晶型(２Ｓ,５Ｚ)−２−アミノ−２−メチル−７−[(１−イミノエチル)アミノ]−５−ヘプテン酸を取得し、
（ｂ）場合により、（２Ｓ,５Ｚ)−２−アミノ−２−メチル−７−[(１−イミノエチル)アミノ]−５−ヘプテン酸が１.５HCl当量に到達するまで塩酸を加えるか、または
（ｃ）場合により、適当な塩基で、(２Ｓ,５Ｚ)−２−アミノ−２−メチル−７−[(１
−イミノエチル)アミノ]−５−ヘプテン酸が１.５HCl当量に到達するまで塩酸濃度を調整するか、または
（ｄ） 場合により、(２Ｓ,５Ｚ)−２−アミノ−２−メチル−７−[(１−イミノエチル)アミノ]−５−ヘプテン酸から他の塩の対イオンを除去し、(２Ｓ,５Ｚ)−２−アミノ−
２−メチル−７−[(１−イミノエチル)アミノ]−５−ヘプテン酸が１.５塩酸塩当量に到
達するまで塩酸を添加し、
（ｅ）場合により、得られた(２Ｓ,５Ｚ)−２−アミノ−２−メチル−７−[(１−イミ
ノエチル)アミノ]−５−ヘプテン酸，１.５塩酸塩に、結晶性(２Ｓ,５Ｚ)−２−アミノ−２−メチル−７−[(１−イミノエチル)アミノ]−５−ヘプテン酸，１.５塩酸塩を種晶添
加し、
（ｆ）場合により、溶媒を添加する
各工程からなる上記方法。
【手続補正２】
【補正対象書類名】明細書
【補正対象項目名】００３７
【補正方法】変更
【補正の内容】
【００３７】
【化４】
2005536541.tif 000002
EX-1B）
EX-1A（720 mg, 3.3ミリモル）のCH2Cl2（25 mL）中溶液にEt3N（525 mg, 5.3ミリモル）およびメタンスルホニルクロリド（561 mg, 4.90ミリモル）を加えた。反応混合物を0℃で15分、ついで室温で16時間攪拌した。CH2Cl2をさらに加え、溶液をNaHCO3、食塩水で抽出し、乾燥すると790 mgの黄色油状物が生成した。油状物をDMF（20 mL）に溶解し、3-メチル-1,2,4-オキサジアゾリン-5-オン カリウム塩(513 mg, 3.7ミリモル）を加えた。得られた溶液を50℃で16時間攪拌した。溶媒を真空中で除去し、残留物をEtOAcと食塩水に分配した。有機層を乾燥（Na2SO4）し、濃縮すると油状物が得られ、これをシリカゲル上フラッシュカラムクロマトグラフィーに付し、エーテル：ヘキサン（1:1）で溶出させて精製すると、所望の保護されたZ-アリル環状アミジン生成物780 mg（79％）が澄明な油状物として得られ、これは1HNMRによれば所望のZ-アイソマーのみを含有した。
【手続補正３】
【補正対象書類名】明細書
【補正対象項目名】００５６
【補正方法】変更
【補正の内容】
【００５６】
示差走査熱量測定（DSC）は単一の融点224℃、および融解熱147 ジュール・グラム-1を示した（図２参照）。
【手続補正書】
【提出日】平成18年5月2日(2006.5.2)
【手続補正１】
【補正対象書類名】特許請求の範囲
【補正対象項目名】請求項６
【補正方法】変更
【補正の内容】
【請求項６】
エンジン本体；燃料と空気との混合物を入れるため、エンジン本体内に形成された燃焼室；エンジン本体内に形成された複数の気筒；及び連続的な排気及び吸気の行程により往復運動を行うため、各気筒内にそれぞれ載荷されたピストンを有するディーゼルエンジンであって、各ピストンは、それぞれ、燃料と空気との混合物を入れる燃焼室の境界を定める該エンジンにおいて、
燃焼室中にディーゼル燃料及び空気を導入する工程、
請求項１〜４のいずれか１項に記載の潤滑油組成物を気筒に送る工程、及び
ピストンで燃焼室中のディーゼル燃料を圧縮して点火し、これにより排気ガスを生成する工程、
を含むディーゼルエンジンの操作方法。
【手続補正２】
【補正対象書類名】明細書
【補正対象項目名】００１３
【補正方法】変更
【補正の内容】
【００１３】
同様に、なお更にディーゼルエンジンの操作方法を提供する。この方法は、エンジン本体；燃料と空気との混合物を入れるため、エンジン本体内に形成された燃焼室；エンジン本体内に形成された複数の気筒；及び連続的な排気及び吸気の行程により往復運動を行うため、各気筒内にそれぞれ載荷されたピストンを有するディーゼルエンジンであって、各ピストンは、それぞれ、燃料と空気との混合物を入れる燃焼室の境界を定める該エンジンにおいて、
燃焼室中にディーゼル燃料及び空気を導入する工程、
基油と、ＨＮＣＯの油分散可能な供給源１種以上とを含む潤滑油組成物を気筒に送る工程、及び
ピストンで燃焼室中のディーゼル燃料を圧縮して点火し、これにより排気ガスを生成する工程、
を含む。
【発明を実施するための最良の形態】
【手続補正３】
【補正対象書類名】明細書
【補正対象項目名】００２７
【補正方法】変更
【補正の内容】
【００２７】
本発明方法では、前述のように、エンジン本体；燃料と空気との混合物を入れるため、エンジン本体内に形成された燃焼室；エンジン本体内に形成された、内縁を有する複数の気筒；及び連続的な排気及び吸気の行程により往復運動を行うため、各気筒内にそれぞれ載荷されたピストンを有するディーゼルエンジンであって、各ピストンは、それぞれ、燃料と空気との混合物を入れる燃焼室の境界を定める該エンジンを操作する方法は、ディーゼルエンジンからのＮＯｘ放出物水準を低下させる。この方法は、
燃焼室中にディーゼル燃料及び空気を導入する工程、
基油と、ＨＮＣＯの油分散可能な供給源１種以上とを含む潤滑油組成物を気筒に送る工程、及び
ピストンで燃焼室中のディーゼル燃料を圧縮して点火し、これによりＮＯｘ含有排気ガスを生成（発生）する工程、
を含む。このＨＮＣＯの供給源は、正常なエンジン操作条件下で潤滑油組成物からガス抜きするのに十分な揮発性を有するイソシアネートが好ましい。一般に、圧縮行程の終点では、５００〜１０００ｐｓｉの範囲の圧力に達することができる。圧縮工程中、空気は、気筒内に噴射する際、燃料の自然発火に十分な高温である５３７℃（１０００°Ｆ）以下かそれ以上の温度に加熱される。燃料点火後の燃焼ガスの温度は、高くなり、燃料点火後、数度のクランク角度で１６００℃（２９１２）°Ｆにも上昇する。このようなエンジンの操作条件中、気筒は、通常、３００°Ｆ（１４９℃）〜５００°Ｆ（２６０℃）の範囲の温度に加熱される。
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
（ａ）接着剤およびシーラントの少なくとも一方に使用するのに適した少なくとも１種のエポキシ樹脂；
（ｂ）芳香族原子に直接に結合する２以上のヒドロキシル基を含む少なくとも１種のヒドロキシル含有芳香族化合物、前記少なくとも１種のヒドロキシル含有芳香族化合物の量は、存在するエポキシ樹脂１００重量部を基準にして、０よりは多く約８重量部までの範囲にある；および
（ｃ）第１級脂肪族アミン、第２級脂肪族アミン、第１級芳香族アミン、第２級芳香族アミンまたはそれらの組合せを含む少なくとも１種の硬化剤；
を含む一液型組成物であり、組成物の４５度流動性保持率の値が、室温で１４日間のエージング条件下に置いた後で、初期の流動性保持率の値の少なくとも４０％である、延長された貯蔵寿命を有する組成物。
【請求項２】
前記少なくとも１種のヒドロキシル含有芳香族化合物が、分子構造
【化１】
2005536590.tif 000001
を有し、ここでｎが０〜約９の範囲である、
請求項１に記載の延長された貯蔵寿命を有する組成物。
【請求項３】
（１）（ａ）少なくとも１種のエポキシ樹脂；および
（ｂ）芳香族原子に直接に結合する２以上のヒドロキシル基を含む少なくとも１種のヒドロキシル含有芳香族化合物、前記少なくとも１種のヒドロキシル含有芳香族化合物の量は、存在するエポキシ樹脂１００重量部を基準にして、０よりは多く約８重量部までの範囲にある、
を含む混合物を調整する工程；
（２）前記混合物を昇温に加熱して前記混合物を液化する工程；および
（３）前記混合物に少なくとも１種の硬化剤を前記硬化剤すべての融点または活性化温度より低い温度において添加し、前記少なくとも１種の硬化剤は第１級脂肪族アミン、第２級脂肪族アミン、第１級芳香族アミン、第２級芳香族アミン、またはそれらの組合せを含む工程；
により、得られる組成物の４５度流動性保持率の値が、室温で１４日間のエージング条件下に置いた後で、初期の流動性保持率の値の少なくとも４０％である、一液型エポキシ組成物を形成する、エポキシ組成物の貯蔵寿命を改良する方法。
【請求項４】
前記少なくとも１種のヒドロキシル含有芳香族化合物が、分子構造
【化２】
2005536590.tif 000002
を有し、ここでｎが０〜約９の範囲である、請求項３に記載の方法。
【手続補正書】
【提出日】平成18年7月28日(2006.7.28)
【手続補正１】
【補正対象書類名】特許請求の範囲
【補正対象項目名】請求項１
【補正方法】変更
【補正の内容】
【請求項１】
式Ｉ
【化１】
2005536557.tif 000001
（式中、Ｒ1は、非置換あるいはＲ3および／またはＲ4で一置換もしくは多置換されている、飽和、不飽和または芳香族の炭素環もしくは複素環の基を表し、Ｒ2は、１〜２０個のＣ原子を有するアルキルを表し、Ｒ3、Ｒ4は、それぞれ互いに独立して、Ｈ、１〜２０個のＣ原子を有するアルキルもしくはアルコキシ、アリール、アリールオキシもしくはＣＯＯＲ2、Ｆ、Ｃｌ、Ｂｒ、ＯＨ、ＣＮ、ＮＯ2、Ｎ（Ｒ2）2またはＮＨＣＯＲ2を表す）
のモノアルキルアミノケトンまたはその塩もしくは溶媒和物。
【手続補正２】
【補正対象書類名】特許請求の範囲
【補正対象項目名】請求項２
【補正方法】変更
【補正の内容】
【請求項２】
式Ｉ
【化２】
2005536557.tif 000002
（式中、Ｒ1は、非置換あるいはＲ3および／またはＲ4で一置換もしくは多置換されている、飽和、不飽和または芳香族の炭素環もしくは複素環の基を表し、Ｒ2は、１〜２０個のＣ原子を有するアルキルを表し、Ｒ3、Ｒ4は、それぞれ互いに独立して、Ｈ、１〜２０個のＣ原子を有するアルキルもしくはアルコキシ、アリール、アリールオキシもしくはＣＯＯＲ2、Ｆ、Ｃｌ、Ｂｒ、ＯＨ、ＣＮ、ＮＯ2、Ｎ（Ｒ2）2またはＮＨＣＯＲ2を表す）
のモノアルキルアミノケトンを製造する方法であって、
式Ｒ2ＮＨ2（式中、Ｒ2は、上記の意味を有する）のアルキルアミンの存在下で、式ＩＩ
【化３】
2005536557.tif 000003
（式中、Ｒ1およびＲ2は、上記の意味を有する）
の化合物の反応によって製造する方法。
【手続補正３】
【補正対象書類名】明細書
【補正対象項目名】０００３
【補正方法】変更
【補正の内容】
【０００３】
（式中、Ｒ1は、非置換あるいはＲ3および／またはＲ4で一置換もしくは多置換されている、飽和、不飽和または芳香族の炭素環もしくは複素環の基を表し、Ｒ2は、１〜２０個のＣ原子を有するアルキルを表し、Ｒ3、Ｒ4は、それぞれ互いに独立して、Ｈ、１〜２０個のＣ原子を有するアルキルもしくはアルコキシ、アリール、アリールオキシもしくはＣＯＯＲ2、Ｆ、Ｃｌ、Ｂｒ、ＯＨ、ＣＮ、ＮＯ2、Ｎ（Ｒ2）2またはＮＨＣＯＲ2を表す）
のモノアルキルアミノケトン、その塩および溶媒和物、並びに式Ｒ2ＮＨ2（式中、Ｒ2は上記の意味を有する）のアルキルアミンの存在下で、式ＩＩ
【手続補正書】
【提出日】平成18年8月1日(2006.8.1)
【手続補正１】
【補正対象書類名】特許請求の範囲
【補正対象項目名】請求項１１
【補正方法】変更
【補正の内容】
【請求項１１】
次の式D：
【化５】
2005536559.tif 000001
（式中、MはOHであり、その他の置換基および指数は上記で定義された通りである）
の化合物を、ニトロ化剤と反応させることを含む、式（C）：
【化６】
2005536559.tif 000002
（式中、R1-R12、m、n、o、p、q、r、s、X、Yは請求項1〜4のいずれかで定義された通りである）
の化合物の製造法。
【手続補正２】
【補正対象書類名】特許請求の範囲
【補正対象項目名】請求項１３
【補正方法】変更
【補正の内容】
【請求項１３】
化合物（D）およびニトロ化剤がモル比2〜0.5である、請求項11または12に記載の式（C）の化合物の製造法。
【手続補正３】
【補正対象書類名】特許請求の範囲
【補正対象項目名】請求項１４
【補正方法】変更
【補正の内容】
【請求項１４】
反応が0℃〜100℃の範囲の温度で行われる、請求項11〜13のいずれかに記載の式（C）の化合物の製造法。
【手続補正４】
【補正対象書類名】特許請求の範囲
【補正対象項目名】請求項１５
【補正方法】変更
【補正の内容】
【請求項１５】
次の式 (E)：
【化７】
2005536559.tif 000003
(式中、R1-R12、m、n、o、p、q、r、s、X、Yは上記で定義した通りである)
の化合物を、ニトロ化剤と反応させることを含む、式（C）：
【化８】
2005536559.tif 000004
(式中、R1-R12、m、n、o、p、q、r、s、X、Yは請求項1〜4のいずれかで定義された通りである)
の化合物の製造法。
【手続補正５】
【補正対象書類名】特許請求の範囲
【補正対象項目名】請求項１７
【補正方法】変更
【補正の内容】
【請求項１７】
化合物（E）およびニトロ化剤がモル比20〜2である、請求項15または16に記載の式（C）の化合物の製造法。
【手続補正６】
【補正対象書類名】特許請求の範囲
【補正対象項目名】請求項１８
【補正方法】変更
【補正の内容】
【請求項１８】
反応が0℃〜100℃の範囲の温度で行われる、請求項15〜17のいずれかに記載の式（C）の化合物の製造法。
【手続補正７】
【補正対象書類名】特許請求の範囲
【補正対象項目名】請求項１９
【補正方法】変更
【補正の内容】
【請求項１９】
次の式（F）：
【化９】
2005536559.tif 000005
(式中、R1-R12、m、n、o、p、q、r、s、Xは上記で定義された通りであり、W は OH またはハロゲンである)
の化合物を、WがOHの場合はアルカノイルスルホニルクロライドおよびトリフルオロメタンスルホン酸無水物から選択される化合物と反応させ、Wがハロゲンの場合はAgSbF6、AgBF4、AgClO4、CF3SO3Ag、AgSO3CH3、CH3C6H4SO3Agと反応させることを含む、式（C）：
【化１０】
2005536559.tif 000006
（式中、R1-R12、m、n、o、p、q、r、s、X、Yは請求項1〜4のいずれかで定義された通りである）
の化合物の製造法。
【手続補正８】
【補正対象書類名】特許請求の範囲
【補正対象項目名】請求項２１
【補正方法】変更
【補正の内容】
【請求項２１】
反応が0℃〜100℃の範囲の温度で行われる、請求項19または20に記載の式（Ｃ）の化合物の製造法。
【手続補正９】
【補正対象書類名】特許請求の範囲
【補正対象項目名】請求項２２
【補正方法】変更
【補正の内容】
【請求項２２】
式 （Ｃ）：
【化１１】
2005536559.tif 000007
（式中、Ｙがハロゲンではないという条件で、R1-R12、m、n、o、p、q、r、s、X、Yは請求項1〜4のいずれかで定義された通りである）
の化合物。
【手続補正１０】
【補正対象書類名】特許請求の範囲
【補正対象項目名】請求項２３
【補正方法】変更
【補正の内容】
【請求項２３】
請求項1〜4のいずれかに記載の式（Ａ）のカルボン酸のニトロオキシアルキルエステルを製造するための中間体としての、請求項22に記載の一般式（Ｃ）のニトロオキシアルキル誘導体の使用。
【手続補正書】
【提出日】平成18年7月24日(2006.7.24)
【手続補正１】
【補正対象書類名】明細書
【補正対象項目名】００１２
【補正方法】変更
【補正の内容】
【００１２】
１２個から２０個の炭素原子を有するアルコールは、特にステアリルアルコール(Ｃ１８Ｈ３７ＯＨ)、セチルアルコール(Ｃ１６Ｈ３３ＯＨ)およびこれらの混合物を含む。好ましいのは、実質的にステアリルアルコールとセチルアルコールから成る固体アルコールの混合物である、いわゆるセトステアリルアルコールであり、好ましくはステアリルアルコールが４０重量％より少なくなく、ステアリルアルコールとセチルアルコールの合計が少なくとも９０重量％となり、組成物は８０重量％より少なくないセチルステアリルアルコールと乳化剤、特にナトリウムセトステアリルスルフェートおよび／またはナトリウムラウリルスルフェートを、好ましくは乳化剤の７重量％より少なくない量で含む。
【手続補正２】
【補正対象書類名】明細書
【補正対象項目名】００３７
【補正方法】変更
【補正の内容】
【００３７】
好ましい防腐剤は４級アンモニウム化合物、特にベンズアルコニウムクロライド、セトリミドおよびフェニルエチルアルコールであり、本発明の目的のための特に好ましい防腐剤である。適当な場合、十分量の防腐剤を眼科用組成物に添加し、細菌や真菌によりもたらされる使用中の二次汚染に対する防御を確実にし、例えば、ベンズアルコニウムクロライドおよび／またはセトリミドが約０.００１−０.０２％で存在し、またはフェニルエチルアルコールが約０.０５から５重量％、好ましくは０.１から２重量％、例えば０.１から約１重量％の量で存在する。
【手続補正３】
【補正対象書類名】明細書
【補正対象項目名】００４２
【補正方法】変更
【補正の内容】
【００４２】
本発明の組成物はまた酢酸塩、アスコルビン酸塩、ホウ酸塩、炭酸水素塩／炭酸塩、クエン酸塩、グルコン酸塩、乳酸塩、リン酸塩、プロピオン酸塩およびＴＲＩＳ(トロメタミン)緩衝液のような緩衝液も含み得る。トロメタミンおよびホウ酸塩緩衝液が好ましい緩衝液である。添加する緩衝液の量は、例えば、生理学的に耐容性のｐＨ範囲を確実にし、かつ維持するのに必要なものである。ｐＨ範囲は典型的に５から９、好ましくは６から８.５およびより好ましくは６.５から８.２の範囲である。
【手続補正４】
【補正対象書類名】明細書
【補正対象項目名】００６９
【補正方法】変更
【補正の内容】
【００６９】
実施例２から７(防腐剤添加(preserved)軟膏)
【表２】
2005536516.tif 000001
【表３】
2005536516.tif 000002
＊フェニルエチルアルコールは、例えば、０.０１％のベンズアルコニウムクロライドまたはセトリミドと容易に置換できる。
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
少なくとも(i) ジエンエラストマー、(ii) 補強用充填剤としての無機充填剤および(iii) (無機充填剤/ジエンエラストマー)カップリング剤としての、少なくとも2官能性であり、下記の式のポリチオスルフェンアミド官能基を有するイオウ基によって前記エラストマー上にグラフトさせ得るオルガノシリコン化合物をベースとする、エラストマー組成物を含むタイヤ：
(I)      ≡Si-A-Sx-NR1R2
(式中、Aは、前記ポリチオスルフェンアミド基を前記オルガノシリコン化合物のシリコン原子に結合させるのを可能にする直鎖または枝分れの2価の結合基であり；
xは、2〜4の整数または分数であり；
R1は、水素または１価の炭化水素基を示し；
R2は、直鎖または枝分れのC3〜C8アルキル、C5〜C10シクロアルキル、C6〜C18アリールおよび(C6-C18)アリール-(C1〜C8)アルキルの中から選ばれた１価の炭化水素基を示し；
Ｒ1およびＲ2は、一緒になって、Ｒ1およびＲ2が結合している窒素原子と共に単一の炭化水素環を形成し得る)。
【請求項２】
R1が、水素、直鎖または枝分れのC1〜C8アルキル、C5〜C10シクロアルキル、C6〜C18アリールおよび(C6〜C18)アリール-(C1〜C8)アルキルからなる群から選ばれる、請求項１記載のタイヤ。
【請求項３】
R2が、プロピル、イソプロピル、ブチル、イソブチル、tert-ブチル、ペンチル、ヘキシル、シクロヘキシル、ベンジルおよびフェニルからなる群から選ばれる、請求項１又は２記載のタイヤ。
【請求項４】
Aが、C1〜C18アルキレンおよびC6〜C12アリーレンの中から選ばれる、請求項１〜３のいずれか１項記載のタイヤ。
【請求項５】
前記オルガノシリコン化合物が、下記の式のポリチオスルフェンアミドシランである、請求項１〜４のいずれか１項記載のタイヤ：
(II)      (R4O)bR3(3-a)Si-A-Sx-NR1R2
（式中、R3は、1価の炭化水素基を示し；
R4は、水素またはR3と同一または異なるものでもよい1価の炭化水素基を示し；
aは、1、2または3に等しい整数である)。
【請求項６】
基AがC1〜C4アルキレンを示し、基R3およびR4が、同一または異なるものであり得て、C1〜C3アルキルを示す、請求項５記載のタイヤ。
【請求項７】
Aがプロピレンであり、R3およびR4が、同一または異なるものであってもよく、メチルおよびエチルの中から選ばれる、請求項６記載のタイヤ。
【請求項８】
R1が、水素、メチル、エチル、プロピル、イソプロピル、シクロヘキシルおよびベンジルからなる群から選ばれ；R2が、プロピル、イソプロピル、シクロヘキシルおよびベンジルからなる群から選ばれる、請求項５〜７のいずれか１項記載のタイヤ。
【請求項９】
xが、2〜3の整数または分数である、請求項１〜８のいずれか１項記載のタイヤ。
【請求項１０】
前記補強用無機充填剤が主としてシリカである、請求項１〜９のいずれか１項記載のタイヤ。
【請求項１１】
前記ジエンエラストマーが、20質量％〜30質量％のスチレン含有量、15％〜65％のブタジエン画分のビニル結合含有量、20％〜75％のトランス-1,4結合含有量および−20℃〜−55℃のガラス転移温度を有するブタジエン-スチレンコポリマー(SBR)である、請求項１〜１０のいずれか１項記載のタイヤ。
【請求項１２】
前記ジエンエラストマーが、イソプレンエラストマーである、請求項１〜１０のいずれか１項記載のタイヤ。
【手続補正書】
【提出日】平成18年4月18日(2006.4.18)
【手続補正１】
【補正対象書類名】特許請求の範囲
【補正対象項目名】請求項６
【補正方法】変更
【補正の内容】
【請求項６】
非環式イソパラフィンの含有量が８０〜９８重量％であり、セイボルト色度が＋３０より大で、またＡＳＴＭ  Ｄ２２６９で測定した、ＦＤＡ  １７８  ３６２０（’ｃ）による２８０〜２８９ｎｍスペクトルバンドでの紫外線吸着スペクトル値が０．７０未満、２９０〜２９９ｎｍスペクトルバンドでは０．６０未満、３００〜３２９ｎｍスペクトルバンドでは０．４０未満、３３０〜３８０ｎｍスペクトルバンドでは０．０９未満である、請求項５に記載のフィッシャー・トロプシュ誘導薬用ホワイトオイル。
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
金属又はプラスチック表面の処理用の組成物であって、
ａ）式（Ｉ）
【化１】
2005536579.tif 000001
で表される少なくとも1個の構造単位（当該構造単位はポリマー主鎖の一部であってもよく、又はアンカー基を介してポリマー主鎖に結合していてもよく、式中のＭが水素、又は金属カチオンである）を有する成分Ａとしての少なくとも1種類のポリマー、
ｂ）成分Ｂとしての、水、又はポリマー（成分Ａ）を溶解、分散、懸濁又は乳化するために適する、他の溶媒、
ｃ）必要に応じて、成分Ｃとしての、界面活性化合物、分散剤、懸濁媒体及び／又は乳化剤、
ｄ）必要に応じて成分Ｄとして、遷移金属カチオン、遷移金属オキソアニオン、フルオロメタラート、又はランタノイドに基づく塩、酸、又は塩基、及び／又は
ｅ）成分Ｅとして、リン酸、硫酸、スルホン酸、硝酸、フッ化水素酸、及び塩酸からなる群から選択される少なくとも1種類の酸、又はアルカリ金属水酸化物及びアルカリ土類金属水酸化物、及びアンモニア溶液からなる群から選択される塩基、及び／又は
ｆ）成分Ｆとして、少なくとも１種類の金属酸化物及び／又は金属塩、
を含む、金属又はプラスチック表面の処理用の組成物。
【請求項２】
ポリマー（成分Ａ）の質量平均分子量が５００ｇ／モルよりも大きい、請求項１に記載の組成物。
【請求項３】
ポリマー（成分Ａ）が式（ＩＩ）、（ＩＩＩ）及び／又は（ＩＶ）で表される１種類以上の繰り返し単位、及び／又は式（Ｖ）で表される１個又は２個の末端基、及び必要に応じて式（ＶＩ）で表される他の単位
【化２】
2005536579.tif 000002
【化３】
2005536579.tif 000003
を含み、式中
Ｒが水素又は置換又は無置換の所望の有機基を、
Ｒ＊が水素又は−ＣＨ2−ＣＯ2Ｍを、
Ｍが水素又はアンモニウム又は金属カチオンを、
Polymerが上記式（Ｖ）の構造単位への結合に適する所望のポリマーを意味する、請求項１又は２に記載の組成物。
【請求項４】
成分Ａ、Ｂ及び必要に応じてＣ及びＤ及び／又はＥの他に、
ｇ）成分Ｇとして、少なくとも１種類の腐食防止剤、及び／又は
ｈ）成分Hとして、Ｃｅ、Ｎｉ、Ｃｏ、Ｖ、Ｆｅ、Ｚｎ、Ｚｒ、Ｃａ、Ｍｎ、Ｍｏ、Ｗ、Ｃｒ及び／又はＢｉの化合物、及び／又は
ｉ）成分Ｉとして、他の助剤及び添加剤を含む、金属の表面処理用の請求項１〜３のいずれかに記載の組成物。
【請求項５】
成分Ａ及びＢ、及び必要に応じてＣ及びＦの他に、
ｊ）必要に応じて成分Ｊとして、１種類以上の酸、又は対応の酸の１種類のアルカリ金属塩もしくはアルカリ土類金属塩、及び
ｋ）必要に応じて成分Ｋとして、他の添加剤を含む、金属の表面処理用の請求項１又は２に記載の組成物。
【請求項６】
金属表面を請求項１〜４のいずれか１項に記載の組成物と接触させる、金属の表面処理方法。
【請求項７】
ａ）必要に応じて、油、グリース、及び汚れを除去するために金属表面を清掃する工程、
ｂ）必要に応じて、水で洗浄する工程、
ｃ）必要に応じて、ポリマー（成分Ａ）の存在下又は不存在下に酸洗浄して、錆又は他の酸化物を除去する工程、
ｄ）必要に応じて、水で洗浄する工程、
ｅ）請求項１〜４のいずれかに記載の組成物の存在下に金属表面を処理する工程、
ｆ）必要に応じて、水で洗浄する工程、
ｇ）必要に応じて、後処理を行う工程、を含む請求項６に記載の方法。
【請求項８】
金属表面又はプラスチック表面に金属又は合金を析出させる方法であって、金属表面又はプラスチック表面を、
式（Ｉ）
【化４】
2005536579.tif 000004
で表される少なくとも1個の構造単位（当該構造単位はポリマー主鎖の一部であってもよく、又はアンカー基によりポリマー主鎖に結合してもよく、式中のＭが水素又はアンモニウムもしくは金属カチオンを意味する）を含むポリマー（成分Ａ）と接触させる金属又は合金の析出方法。
【請求項９】
プラスチック表面を、請求項１〜３又は５のいずれかに記載の組成物と接触させる、請求項８に記載の方法。
【請求項１０】
化学的又は電気化学的な金属析出を行う、請求項８又は９に記載の方法。
【請求項１１】
請求項１〜４のいずれかに記載の組成物により金属表面の処理を行う工程を含む、金属表面の腐食を防止する方法。
【請求項１２】
式（Ｉ）
【化５】
2005536579.tif 000005
で表される少なくとも1個の構造単位（当該構造単位はポリマー主鎖の一部であってもよく、又はアンカー基を介してポリマー主鎖に結合していてもよく、式中のＭが水素、アンモニウム又は金属カチオンである）を有するポリマーを錯生成剤として使用する工程を含む金属表面又はプラスチック表面に金属又は合金を析出させる方法。
【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
被検者の関節炎を治療または予防するための方法であって、顆粒球コロニー刺激因子（G-CSF）またはその機能的もしくは構造的な相同体、または顆粒球コロニー刺激因子受容体（G-CSFR）またはその構造的もしくは機能的な相同体の活性を阻害する薬剤、および／または該G-CSFもしくはG-CSFRをコードする遺伝子の発現レベルを減少させる薬剤の有効量を被検者に投与する段階を含む方法。
【請求項２】
関節炎が慢性炎症性関節炎である、請求項1記載の方法。
【請求項３】
症状が関節リウマチ（RA）である、請求項1記載の方法。
【請求項４】
関節炎がコラーゲン誘導性関節炎（CIA）である、請求項1記載の方法。
【請求項５】
被検者が動物または鳥類である、請求項1〜4のいずれか一項記載の方法。
【請求項６】
動物が哺乳類である、請求項5記載の方法。
【請求項７】
哺乳類が霊長類である、請求項6記載の方法。
【請求項８】
霊長類がヒトである、請求項7記載の方法。
【請求項９】
哺乳類が齧歯類である、請求項6記載の方法。
【請求項１０】
齧歯類がマウスである、請求項9記載の方法。
【請求項１１】
薬剤がG-CSFまたはG-CSFRに対して生じた抗体である、請求項1記載の方法。
【請求項１２】
抗体がモノクローナル抗体である、請求項11記載の方法。
【請求項１３】
抗体がポリクローナル抗体である、請求項11記載の方法。
【請求項１４】
薬剤が可溶性G-CSFRまたはその機能的な相同体、類似体、もしくは誘導体である、請求項1記載の方法。
【請求項１５】
薬剤がG-CSFの化学的類似体である、請求項1記載の方法。
【請求項１６】
薬剤がG-CSFRの化学的類似体である、請求項1記載の方法。
【請求項１７】
薬剤がタンパク質である、請求項14〜16のいずれか一項記載の方法。
【請求項１８】
薬剤が核酸である、請求項1記載の方法。
【請求項１９】
核酸がDNAまたはRNAであり、センスもしくはアンチセンスポリヌクレオチド配列、またはG-CSFもしくはG-CSFRもしくはその一部もしくはその転写物をコードする遺伝子配列を含む、請求項18記載の方法。
【請求項２０】
G-CSFまたはG-CSFRの活性を阻害する薬剤を同定するための方法であって、該方法は、該G-CSFまたはG-CSFRに推定上の阻害剤を接触させる段階を含み、薬剤が、G-CSFまたはG-CSFRに結合すること、またはそうでなければ会合することによって阻害剤として同定される、方法。
【請求項２１】
G-CSFまたはG-CSFRをコードする遺伝子配列の発現を調節する薬剤を同定するための方法であって、該方法は、G-CSFまたはG-CSFRをコードする該遺伝子配列に推定上の調節性の薬剤を接触させる段階を含み、薬剤が、G-CSFまたはG-CSFRをコードする遺伝子配列に結合すること、またはさもなければ会合することによって調節性の薬剤として同定される、方法。
【請求項２２】
被検者においてG-CSFまたはG-CSFRの活性を阻害する、および／または被検者において該G-CSFまたはG-CSFRをコードする遺伝子の発現レベルを減少させる薬剤を、薬学的に許容される担体または希釈液と共に含む薬学的組成物。
【請求項２３】
被検者が動物または鳥類である、請求項22記載の薬学的組成物。
【請求項２４】
動物が哺乳類である、請求項23記載の薬学的組成物。
【請求項２５】
哺乳類が霊長類である、請求項24記載の薬学的組成物。
【請求項２６】
霊長類がヒトである、請求項25記載の薬学的組成物。
【請求項２７】
哺乳類が齧歯類である、請求項26記載の薬学的組成物。
【請求項２８】
齧歯類がマウスである、請求項27記載の薬学的組成物。
【請求項２９】
薬剤がG-CSFまたはG-CSFRに対して生じた抗体である、請求項22記載の薬学的組成物。
【請求項３０】
抗体がモノクローナル抗体である、請求項29記載の薬学的組成物。
【請求項３１】
抗体がポリクローナル抗体である、請求項29記載の薬学的組成物。
【請求項３２】
薬剤が可溶性G-CSFRまたはその機能的な相同体、類似体、もしくは誘導体である、請求項22記載の薬学的組成物。
【請求項３３】
薬剤がG-CSFの化学的類似体である、請求項22記載の薬学的組成物。
【請求項３４】
薬剤がG-CSFRの化学的類似体である、請求項22記載の薬学的組成物。
【請求項３５】
薬剤がタンパク質である、請求項32〜34のいずれか一項記載の薬学的組成物。
【請求項３６】
薬剤が核酸である、請求項22記載の薬学的組成物。
【請求項３７】
核酸がDNAまたはRNAであり、センスもしくはアンチセンスポリヌクレオチド配列、またはG-CSFもしくはG-CSFRもしくはその一部もしくはその転写物をコードする遺伝子配列を含む、請求項36記載の薬学的組成物。
【請求項３８】
ポジティブまたはネガティブ選択可能なマーカーに隣接するG-CSFもしくはG-CSFR、またはその断片をコードする遺伝的物質の2つのセグメントを含む、細胞内でG-CSFまたはG-CSFRをコードする遺伝子を不活性化するために有用なターゲッティングベクターまたはマーカー交換突然変異誘発ベクター。
【請求項３９】
請求項38記載のベクターまたは該ベクターの一部を含む、遺伝子改変された動物細胞。
【請求項４０】
細胞が胚幹細胞である、請求項39記載の遺伝子改変された細胞。
【請求項４１】
請求項39または40記載の細胞の1つまたは複数を含むか、またはそれに由来する、遺伝子改変された動物または胚であって、該動物は、同じ種の遺伝子改変されていない動物と比較して少ない量のG-CSFまたはG-CSFRを産生する、動物または胚。
【請求項４２】
動物がマウスである、請求項39または40記載の遺伝子改変された動物細胞。
【請求項４３】
動物がヒトである、請求項42記載の遺伝子改変された動物細胞。
【請求項４４】
請求項39または40記載の遺伝子改変された細胞を産生する方法であって、該方法は、請求項38記載のベクターを1つまたは複数の胚幹（ES）細胞に導入する段階、および選択可能なマーカー遺伝子の発現について選択する段階を含み、生じる形質転換細胞のG-CSFおよび／またはG-CSFR遺伝子は、該ベクターとの相同組換えによって不活性化される、方法。
【請求項４５】
G-CSFの活性を阻害し、および／またはG-CSFRとG-CSFの相互作用を阻害し、これにより関節炎の影響を改善することができる薬剤を同定するためのインビボ方法であって、該方法は、動物に対して推定上の阻害剤を投与する段階を含み、該薬剤が、G-CSFまたはG-CSFRとの相互作用力を有するとして同定される、方法。
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
液体、高沸点ペルフルオロカーボンを核として含むナノパーティクル系エマルジョンの使用において、前記核は、脂質／界面活性剤で被覆され、前記ナノパーティクルは、血餅を特徴づける少なくとも１つの成分に対して特異的である少なくとも１つのターゲティングリガンドと直接結合することを特徴とする、ヒト被験者における血餅を画像化及び／又は治療する方法において使用する診断用及び／又は治療用組成物の製造のための、ナノパーティクル系エマルジョンの使用。
【請求項２】
前記ペルフルオロカーボンは、ペルフルオロデカリン、ペルフルオロオクタン、ペルフルオロジクロロオクタン、ペルフルオロ−ｎ−オクチルブロマイド、ペルフルオロヘプタン、ペルフルオロデカン、ペルフルオロトリプロピルアミン、ペルフルオロトリブチルアミン、及びこれらの混合物からなる群から選択される請求項１に記載の使用。
【請求項３】
前記ペルフルオロカーボンは、ペルフルオロ−ｎ−オクチルブロマイドである請求項２に記載の使用。
【請求項４】
前記ターゲティングリガンドは、脂質／界面活性剤被膜の成分と共有結合的にカップリングされる請求項１〜３の何れか一項に記載の使用。
【請求項５】
前記リガンドは、フィブリン、ｇｐＩＩｂ／ＩＩＩａ、組織因子／ＶＩＩＡ複合体、活性化した凝固因子Ｘａ、活性化した凝固因子ＩＸａ、フィブリン凝集産物、又はｄ−ダイマーと特異的に結合する請求項１〜４の何れか一項に記載の使用。
【請求項６】
前記リガンドは、フィブリンと特異的に結合する請求項５に記載の使用。
【請求項７】
前記リガンドは、抗フィブリン抗体又はそのフラグメントである請求項６に記載の使用。
【請求項８】
前記方法は、前記組成物を前記ヒト被験者に対して全身投与することを含む請求項１〜７の何れか一項に記載の使用。
【請求項９】
前記ナノパーティクルは、更に少なくとも１つの磁気共鳴画像化造影剤を含む請求項１〜８の何れか一項に記載の使用。
【請求項１０】
前記磁気共鳴画像化造影剤は、キレート化した常磁性イオンである請求項９に記載の使用。
【請求項１１】
前記ナノパーティクルは、更に少なくとも１つの放射性核種を含む請求項１〜８の何れか一項に記載の使用。
【請求項１２】
前記放射性核種は、９９Ｔｃである請求項１１に記載の使用。
【請求項１３】
更に少なくとも１つの生物活性剤を含む請求項１〜１２の何れか一項に記載の使用。
【請求項１４】
前記生物活性剤は、血栓溶解剤である請求項１３に記載の使用。
【請求項１５】
前記血栓溶解剤は、ウロキナーゼ、ストレプトキナーゼ、又はｔＰＡである請求項１４に記載の使用。
【手続補正２】
【補正対象書類名】明細書
【補正対象項目名】００２３
【補正方法】変更
【補正の内容】
【００２３】
有用なペルフルオロカーボンエマルジョンは、米国特許第４９２７６２３号、同第５０７７０３６号、同第５１１４７０３号、同第５１７１７５５号、同第５３０４３２５号、同第５３５０５７１号、同第５３９３５２４号、及び同第５４０３５７５号に開示され、ペルフルオロカーボン化合物が、ペルフルオロデカリン、ペルフルオロオクタン、ペルフルオロジクロロオクタン、ペルフルオロ−ｎ−オクチルブロマイド、ペルフルオロヘプタン、ペルフルオロデカン、ペルフルオロシクロヘキサン、ペルフルオロモルフォリン、ペルフルオロトリプロピルアミン、ペルフルオロトリブチルアミン、ペルフルオロヂメチルシクロヘキサン、ペルフルオロトリメチルシクロヘキサン、ペルフルオロジシクロヘキシルエーテル、ペルフルオロ−ｎ−ブチルテトラヒドロフラン、及びこれらの化合物との構造類似化合物、並びに部分的に又は完全にハロゲン化（少なくともいくつかのフッ素置換基を含む）化合物、或いはペルフルオロアルキル化エーテル、ポリエーテル又はクラウンエーテル（大環状ポリエーテル化合物）を含む部分的に又は完全にフッ素置換した化合物であるようなペルフルオロカーボンエマルジョンを含む。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
約０．０１％〜約０．１％のマクロライド化合物を含有する眼アレルギー処置の為の眼科用組成物。
【請求項２】
該眼アレルギーがアレルギー性結膜炎である、請求項１記載の眼科用組成物。
【請求項３】
該マクロライド化合物を約０．０３％〜約０．０６％含有する、請求項１又は２記載の眼科用組成物。
【請求項４】
該マクロライド化合物を約０．０３％含有する、請求項３記載の眼科用組成物。
【請求項５】
該マクロライド化合物がＦＫ５０６である、請求項１記載の眼科用組成物。
【請求項６】
点眼剤である、請求項１記載の眼科用組成物。
【請求項７】
該点眼剤がさらにポリビニルアルコールを含有する、請求項６記載の眼科用組成物。
【請求項８】
該点眼剤が約０．０３％の該マクロライド化合物を含有する、請求項７記載の眼科用組成物。
【請求項９】
該点眼剤が１日あたり約１回〜約４回投与される、請求項８記載の眼科用組成物。
【請求項１０】
該マクロライド化合物が、下記式（Ｉ）を有する化合物またはその医薬上許容され得る塩である、請求項１〜９のいずれか１項に記載の眼科用組成物：
【化３】
2005536531.tif 000001
（式中、Ｒ１およびＲ２、Ｒ３およびＲ４、ならびにＲ５およびＲ６の隣接する対は、各々独立して、
ａ）２つの隣接する水素原子からなる（Ｒ２は任意にアルキルである）、または
ｂ）該対のそれぞれに結合している炭素原子どうしの間でもうひとつの結合を形成してもよく；
Ｒ７は水素原子、ヒドロキシ、アルキルオキシ、あるいは保護されたヒドロキシであるか、またはＲ１と共になってオキソを形成してもよく；
Ｒ８およびＲ９は各々独立して、水素原子またはヒドロキシを表わし；
Ｒ１０は水素原子、アルキル、１以上のヒドロキシによって置換されたアルキル、アルケニル、１以上のヒドロキシによって置換されたアルケニル、またはオキソによって置換されたアルキルであり；
Ｘはオキソ、（水素原子、ヒドロキシ）、（水素原子、水素原子）、または式−ＣＨ２Ｏ−で表わされる基であり；
Ｙはオキソ、（水素原子、ヒドロキシ）、（水素原子、水素原子）、または式Ｎ−ＮＲ１１Ｒ１２もしくはＮ−ＯＲ１３で表わされる基であり；
Ｒ１１およびＲ１２は各々独立して水素原子、アルキル、アリールまたはトシルを表わし；
Ｒ１３、Ｒ１４、Ｒ１５、Ｒ１６、Ｒ１７、Ｒ１８、Ｒ１９、Ｒ２２およびＲ２３は各々独立して水素原子またはアルキルを表わし；
Ｒ２４は、任意に置換されていてもよい、１以上の複素原子を含み得る環であり；および
ｎは１または２を表わす。
【請求項１１】
該マクロライド化合物が下記構造を有する、請求項１０記載の眼科用組成物：
【化４】
2005536531.tif 000002
【請求項１２】
眼アレルギーの処置の為の眼科用組成物を製造する為のマクロライド化合物の使用であって、該組成物が約０．０１％〜約０．１％の該マクロライド化合物を含有する、使用。
【請求項１３】
該眼アレルギーがアレルギー性結膜炎である、請求項１２記載の使用。
【請求項１４】
該組成物が該マクロライド化合物を約０．０３％〜約０．０６％含有する、請求項１２又は１３記載の使用。
【請求項１５】
該組成物が、約０．０３％の該マクロライド化合物を含有する、請求項１４記載の使用。
【請求項１６】
該マクロライド化合物がＦＫ５０６である、請求項１２記載の使用。
【請求項１７】
該眼科用組成物が点眼剤である、請求項１２記載の使用。
【請求項１８】
該点眼剤がさらにポリビニルアルコールを含有する、請求項１７記載の使用。
【請求項１９】
該点眼剤が約０．０３％の該マクロライド化合物を含有する、請求項１８記載の使用。
【請求項２０】
該点眼剤が１日あたり約１回〜約４回投与される、請求項１９記載の使用。
【請求項２１】
該マクロライド化合物が、下記式（Ｉ）を有する化合物またはその医薬上許容され得る塩である、請求項１２〜２０のいずれか１項に記載の使用：
【化５】
2005536531.tif 000003
（式中、Ｒ１およびＲ２、Ｒ３およびＲ４、ならびにＲ５およびＲ６の隣接する対は、各々独立して、
ａ）２つの隣接する水素原子からなる（Ｒ２は任意にアルキルである）、または
ｂ）該対のそれぞれに結合している炭素原子どうしの間でもうひとつの結合を形成してもよく；
Ｒ７は水素原子、ヒドロキシ、アルキルオキシ、あるいは保護されたヒドロキシであるか、またはＲ１と共になってオキソを形成してもよく；
Ｒ８およびＲ９は各々独立して、水素原子またはヒドロキシを表わし；
Ｒ１０は水素原子、アルキル、１以上のヒドロキシによって置換されたアルキル、アルケニル、１以上のヒドロキシによって置換されたアルケニル、またはオキソによって置換されたアルキルであり；
Ｘはオキソ、（水素原子、ヒドロキシ）、（水素原子、水素原子）、または式−ＣＨ２Ｏ−で表わされる基であり；
Ｙはオキソ、（水素原子、ヒドロキシ）、（水素原子、水素原子）、または式Ｎ−ＮＲ１１Ｒ１２もしくはＮ−ＯＲ１３で表わされる基であり；
Ｒ１１およびＲ１２は各々独立して水素原子、アルキル、アリールまたはトシルを表わし；
Ｒ１３、Ｒ１４、Ｒ１５、Ｒ１６、Ｒ１７、Ｒ１８、Ｒ１９、Ｒ２２およびＲ２３は各々独立して水素原子またはアルキルを表わし；
Ｒ２４は、任意に置換されていてもよい、１以上の複素原子を含み得る環であり；および
ｎは１または２を表わす。
【請求項２２】
該マクロライド化合物が下記構造を有する化合物である、請求項２１記載の使用：
【化６】
2005536531.tif 000004
【請求項２３】
請求項１〜１１のいずれか１項に記載の眼科用組成物及びそれとともに記載物（該記載物は該組成物をアレルギー性結膜炎に使用し得るか使用すべきであることを記載している）を含む商業的パッケージ。
【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
化粧品調製物及びパーソナルケア調製物であって、
（ａ）（ａ１）実質的な透明材又は金属性反射材からなるコア及び
（ａ２）ケイ素に対する酸素のモル比が平均０．０３ないし０．９５である１種又はそれ以上の酸化ケイ素から実質的になる少なくとも１種のコーティング
を含む光沢顔料０．０００１ないし９０重量％、及び
（ｂ）前記化粧品調製物又は配合物の総重量に基づき、化粧品に適するキャリア材１０ないし９９．９９９９％
を含む調製物。
【請求項２】
（ａ１）０．９５＜ｚ≦２．０であり、とりわけ１．４≦ｚ≦２．０であるＳｉＯzから
なるコア、及び
（ａ２）ケイ素に対する酸素のモル比が平均０．０３ないし０．９５である１種又はそれ以上の酸化ケイ素から実質的になる少なくとも１種のコーティング
を含む顔料。
【請求項３】
前記顔料は、以下の層構造：
（ａ３）所望によりＳｉＯ2コーティング、
（ａ２）ケイ素に対する酸素のモル比が平均０．０３ないし０．９５である１種又はそれ以上の酸化ケイ素から実質的になるコーティング、
（ａ１）０．９５＜ｚ≦２．０であり、特に１．４≦ｚ≦２．０であるＳｉＯzからなる
コア、及び
（ａ２）ケイ素に対する酸素のモル比が平均０．０３ないし０．９５である１種又はそれ以上の酸化ケイ素から実質的になるコーティング、及び
（ａ３）所望によりＳｉＯ2コーティング
を有する請求項２記載の顔料。
【請求項４】
以下の層構造：
ＳｉＯx／ＳｉＯz／ＳｉＯx、
ＳｉＯz／ＳｉＯx／ＳｉＯz／ＳｉＯx／ＳｉＯz又は
ＴｉＯ2／ＳｉＯz／ＳｉＯx／ＳｉＯz／ＳｉＯx／ＳｉＯz／ＴｉＯ2
（式中、ｘは０．０３ないし０．９５であり、とりわけ０．０５ないし０．５０であり、及び０．９５＜ｚ≦２．０であり、とりわけ１．４≦ｚ≦２．０である。）
を有する請求項３記載の顔料。
【請求項５】
高分子量の有機材料、及び、該高分子量の有機材料に基づいて、請求項２ないし４のうちいずれか１項記載の顔料０．０１ないし８０重量％、好ましくは０．１ないし３０重量％を含む組成物。
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
活性剤を長期間にわたり放出するように適合せしめられた、約５０〜６０％の活性剤、約５〜１５％の構造用重合体担体および約１５〜４０％の可溶化界面活性剤（ｓｏｌｕｂｉｌｌｉｚｉｎｇ  ｓｕｒｆａｃｔａｎｔ）を含んでなる調節放出性治療組成物。
【請求項２】
トピラメート（ｔｏｐｉｒａｍａｔｅ）を長期間にわたり放出するように適合せしめられた、トピラメート、構造用重合体担体および可溶化界面活性剤を含んでなる調節放出性治療組成物。
【請求項３】
トピラメートの薬用量が約１０ｍｇ〜２５０ｍｇの間である請求項２の組成物。
【請求項４】
構造用重合体が約１００，０００〜約２００，０００の分子量のポリエチレンオキシドである請求項２の組成物。
【請求項５】
可溶化界面活性剤がステアリン酸ポリオキシル４０、ステアリン酸ポリオキシル５０、ポロキサマー類、およびエチレンオキシド：プロピレンオキシド：エチレンオキシドのａ：ｂ：ａ三ブロック共重合体よりなる群から選択される請求項２の組成物。
【請求項６】
（ａ）ｉ．トピラメート、
ｉｉ．構造用重合体、
ｉｉｉ．可溶化界面活性剤
を含んでなる芯、
（ｂ）芯を少なくとも部分的に取り囲む半透膜、および
（ｃ）環境に対するトピラメートの放出を可能にするように芯と連結する半透膜に通じる出口オリフィス
を含んでなる１日１回投与用の調節放出性経口投薬形態であって、投薬形態がトピラメートを長期間にわたり放出する形態。
【請求項７】
トピラメートを実質的に０次放出速度で放出するように適合せしめられた請求項６の調節放出性経口投薬形態。
【請求項８】
トピラメートを実質的に上昇する放出速度で放出するように適合せしめられた請求項２の調節放出性経口投薬形態。
【請求項９】
トピラメートが芯の５５％であり、構造用重合体が芯の約１１．５％であり、そして可溶化界面活性剤が芯の約３０％である請求項６の調節放出性経口投薬形態。
【請求項１０】
約５０〜６０％のトピラメート、約５〜１５％の構造用重合体担体および約１５〜４０％の可溶化界面活性剤を含有するカプセル形状の錠剤芯投薬形態を経口的に投与することを含んでなるトピラメートに応答する症状を処置する方法であって、投薬形態がトピラメートを実質的に上昇する放出速度で長期間にわたり放出する方法。